(57)【特許請求の範囲】
【請求項１】
左右の縦枠間に複数枚の羽板を取付けてなり、
前記縦枠は押出形材からなり、
該縦枠の羽板取付面の両側に羽板側に突出した側部突片をほぼ全長にわたって形成し、
該縦枠の前記突片間のほぼ中央部に、縦枠の長手方向にそれぞれ間隔を有して中央突片を有し、
各羽板の端部は、前記中央突片間に斜めに嵌め込み、かつ該羽板の端面の一方のコーナー部を、一方の側部突片に当接させ、他方のコーナー部を他方の側部突片に当接させて羽板を縦枠に固定した
ことを特徴とする木製フェンス。
【請求項２】
請求項１において、
前記羽板の少なくとも端部の表裏面に、中央突片の端部に当接させる係止溝を形成した
ことを特徴とする木製フェンス。
【請求項３】
請求項１または２において、
前記側部突片に当接する羽板のコーナー部を平面状に面取りして側部突片への当接面を形成した
ことを特徴とする木製フェンス。
【請求項４】
請求項１から３までのいずれかにおいて、
前記各羽板の両端を、左右の縦枠に、それぞれ１本の固定具により固定した
ことを特徴とする木製フェンス。
【発明の詳細な説明】
【０００１】
【発明の属する技術分野】
本発明は、屋外やベランダ等に仕切りや目隠し等を目的として設置され、通風性が確保される羽板式の木製フェンスに関する。
【０００２】
【従来の技術】
アルミニウム合金製押出形材等でなる左右の縦枠間に複数枚の羽板をルーバー羽根式に傾斜させて取り付けることにより構成される木製フェンスにおいて、羽板と、コ字形断面の羽板取付部を有する縦枠との結合は、羽板を治具に等間隔にセットしておき、縦枠の前記コ字形断面の羽板取付部を羽板の端部に嵌め、各羽板の各端面に対し、縦枠の孔に挿通した複数本のねじをねじ込むことにより行っていた。
【０００３】
【発明が解決しようとする課題】
従来の木製フェンスにおいては、縦枠の長手方向の位置と羽板との相対位置を設定し調整することが困難であり、この相対位置がずれると、左右の縦枠に対しする羽板の左右端部に高低差が生じるという問題点があった。また、羽板を傾斜させて取り付けるため、１枚の羽板の各々の端面と縦枠との結合に、それぞれ必ず複数本の固定具を必要とすると問題点があった。
【０００４】
本発明は、上記した問題点に鑑み、縦枠の長手方向に対する羽板位置決めが容易となり、製造における作業性が向上した木製フェンスを提供することを目的とする。また、本発明は、羽板と縦枠との結合が少ない本数の固定具によって行える構造の木製フェンスを提供することを目的とする。
【０００５】
【課題を解決するための手段】
（１）請求項１の木製フェンスは、左右の縦枠間に複数枚の羽板を取付けてなり、
前記縦枠は押出形材からなり、
該縦枠の羽板取付面の両側に羽板側に突出した側部突片をほぼ全長にわたって形成し、
該縦枠の前記突片間のほぼ中央部に、縦枠の長手方向にそれぞれ間隔を有して中央突片を有し、
各羽板の端部は、前記中央突片間に斜めに嵌め込み、かつ該羽板の端面の一方のコーナー部を、一方の側部突片に当接させ、他方のコーナー部を他方の側部突片に当接させて羽板を縦枠に固定した
ことを特徴とする。
【０００６】
請求項１においては、治具に所定枚数の羽板を並べておき、両側から縦枠を、その中央突片と両側の側部突片との間に羽板の端部を斜めにして嵌めることにより、縦枠の長手方向に対する羽板の取付位置が自動的に設定される。また、羽板の対角状のコーナー部が、それぞれ両側の側部突片に当接することと、羽板が中央突片間で挟持されることにより、羽板の傾斜姿勢が固定される。
（２）請求項２の木製フェンスは、請求項１において、
前記羽板の少なくとも端部の表裏面に、中央突片の端部に当接させる係止溝を形成した
ことを特徴とする。
【０００７】
請求項２においては、縦枠の中央突片を係止溝に係止させることにより、位置決めがさらに正確に行える。
（３）請求項３の木製フェンスは、請求項１または２において、
前記側部突片に当接する羽板のコーナー部を平面状に面取りして側部突片への当接面を形成した
ことを特徴とする。
【０００８】
請求項３においては、コーナー部が側部突片に対して平面で当接することにより、羽板の回動が縦枠によってより確実に阻止され、羽板が縦枠に対してより安定してセットされる。
（４）請求項４の木製フェンスは、請求項１から３までのいずれかにおいて、
前記各羽板の両端を、左右の縦枠に、それぞれ１本の固定具により固定した
ことを特徴とする。
【０００９】
請求項４においては、固定具の数が減少し、部品点数、工数が削減され、木製フェンスのコスト低減に寄与することができる。
【００１０】
【発明の実施の形態】
図１（Ａ）は本発明による木製フェンスの一実施の形態を示す正面図、図１（Ｂ）、（Ｃ）はそれぞれその下桟、上桟の取付構造を示す斜視図、図２はその一部を示す斜視図、図３（Ａ）、（Ｂ）はそれぞれ該木製フェンス本体の正面図、側面図、図４は該木製フェンス本体の羽板と縦枠との組合せ構造を示す分解斜視図、図５（Ａ）、（Ｂ）は本実施の形態の木製フェンス本体の断面図および部分側面図である。
【００１１】
図１（Ａ）において、１は地中に固定されたコンクリート基礎２０やベランダの床部に固定される支柱、２は木製フェンス本体であり、該本体２は、図２に示すように、支柱１の溝１ａに両端を嵌めて取り付けられる。本体２は、下桟３により支持され、上桟４により浮き上がりが防止される。図１（Ｂ）、（Ｃ）に示すように、下桟３、上桟４は取付金具５、６およびねじ７を介して支柱１の下部、上部に取り付けられる。図１（Ａ）、図２に示すように、支柱１の頂部には、桁１８が、支柱１にねじ付けされる取付金具８によって桁１８の両端をねじ付けすることにより取り付けられる。
【００１２】
前記本体２は、図３（Ａ）、（Ｂ）に示すように、押出形材でなる左右の縦枠９、９間に木製の羽板１０を取り付け、縦枠９、９の上端、下端にそれぞれ上枠１１、下枠１２を取り付けてなるものである。
【００１３】
図４に示すように、縦枠９は、その羽板取付面の両側に羽板１０側に突出した側部突片９ａ、９ｂをほぼ全長にわたって形成し、該縦枠９の前記突片９ａ、９ｂ間のほぼ中央部に、縦枠の長手方向にそれぞれ間隔を有して中央突片９ｃを形成してなる。各縦枠９の羽板取付面の反対側には、前記支柱１の溝１ａに嵌めるための突片９ｄが形成される。
【００１４】
各羽板１０の端部は、図５（Ａ）、（Ｂ）に示すように、前記中央突片９ｃ、９ｃ間に斜めに嵌め込み、かつ該羽板１０の端面の一方のコーナー部１０ａを、一方の側部突片９ａに当接させ、他方のコーナー部１０ｂを他方の側部突片９ｂに当接させて羽板１０を縦枠に固定する。
【００１５】
羽板１０の縦枠９に対する結合は、羽板１０のセット溝を等間隔に形成した治具（図示せず）に所定枚数の羽板１０を並べておき、その両側から縦枠９を、その中央突片９ｃと両側の側部突片９ａ、９ｂとの間に羽板１０の端部を斜めにして嵌める。このように、羽板１０の端部を縦枠９の羽板取付面に結合した状態においては、図５（Ａ）において、羽板１０の上部側が上方の中央突片９ｃと一方の側部突片９ａに嵌合され、羽板１０の下部側が、下方の中央突片９ｃと他方の側部突片９ｂとの間に嵌合されるので、羽板１０が回動することなく固定される。
【００１６】
また、中央突片９ｃは予め縦枠９の所定位置に形成されているため、羽板１０を中央突片９ｃ、９ｃ間にセットすることにより、羽板１０の縦枠９の長手方向の位置は自動的に設定される。
【００１７】
本実施の形態においては、羽板１０の全長にわたり、あるいは少なくとも端部の表裏面に、中央突片９ｃの端部に当接させる係止溝１０ｃ、１０ｄを形成し、縦枠９の上下の中央突片９ｃ、９ｃを係止溝１０ｃ、１０ｄに係止させることにより、位置決めがさらに正確に行える。
【００１８】
さらに、前記側部突片９ａ、９ｂに当接する羽板１０のコーナー部１０ａ、１０ｂを平面状に面取りして側部突片９ａ、９ｂへの当接面を形成することにより、羽板１０の回動が縦枠によってより確実に阻止され、羽板１０が縦枠９に対してより安定して精度良くセットされる。
【００１９】
このように、羽板１０の少なくとも一端に縦枠９を嵌合しておき、図４に示すように、縦枠９に設けた孔９ｅより穿孔機能を有するねじや釘等の固定具１３を挿通して羽板１０の端面よりねじ込むかあるいは打ち込むことにより、羽板１０を縦枠９に固定する。
【００２０】
また、上枠１１および下枠１２は、縦枠９に設ける孔９ｆに通するねじ１４をこれらの枠１１、１２に設けるタッピングホール１５にねじ込むことにより、縦枠９、９間に固定する。
【００２１】
本発明を実施する場合、羽板１０を縦枠９に固定する固定具１３は必ずしも必要ではないが、固定具１３により羽板１０を縦枠９に固定することにより、羽板１０の縦枠９からの分離のおそれがなくなる。また、上枠１１、下枠１２間に複数本の中枠を設ける構成とすることもできる。また、本体２の取付構造は、図１、図２の例に限らず、下桟４と上桟４間に複数本の中桟を設ける等、種々の構成がある。
【００２２】
【発明の効果】
請求項１によれば、縦枠に設けた中央突片間および両側の側部突片間に羽板の端部を斜めに嵌めて縦枠に羽板を固定するようにしたので、羽板の縦枠長手方向の固定位置が、羽板端部の縦枠への嵌め込みにより自動的に設定され、羽板の縦枠に対する取付位置が正確に設定され、羽板の取付位置の不揃いのない木製フェンスが得られる。
【００２３】
また、従来必要とされた羽板と縦枠との固定具が必ずしも必要ではないかあるいは少ない本数ですみ、工数および部品点数が削減され、木製フェンスのコストの低減に寄与することができる。
【００２４】
請求項２〜４によれば、請求項１の効果に加え、さらに下記の効果を得ることができる。
【００２５】
請求項２によれば、縦枠の中央突片を係止溝に係止させたので、羽板の位置決めがさらに正確に行える。
【００２６】
請求項３によれば、コーナー部が側部突片に対して平面で当接することにより、羽板の回動が縦枠によってより確実に阻止され、羽板が縦枠に対してより安定して精度良くセットされる。
【００２７】
請求項４によれば、羽板の左右端部をそれぞれ縦枠に１本の固定具により固定したので、羽板の縦枠からの分離のおそれがなくなり、また、固定具の数が最少本数ですむため、部品点数、工数が削減され、木製フェンスのコスト低減に寄与することができる。
【図面の簡単な説明】
【図１】（Ａ）は本発明による木製フェンスの一実施の形態を示す正面図、（Ｂ）、（Ｃ）はそれぞれその下桟、上桟の取付構造を示す斜視図である。
【図２】図１の木製フェンスの一部を示す斜視図である。
【図３】（Ａ）、（Ｂ）はそれぞれ本実施の形態の木製フェンス本体の正面図、側面図である。
【図４】本実施の形態の木製フェンス本体の羽板と縦枠との組合せ構造を示す分解斜視図である。
【図５】（Ａ）、（Ｂ）は本実施の形態の木製フェンス本体の断面図および部分側面図である。
【符号の説明】
１：支柱、２：木製フェンス本体、３：下桟、４：上桟、５、６、８：取付金具、９：縦枠、９ａ、９ｂ：側部突片、９ｃ：中央突片、９ｆ：羽板取付用孔、９ｇ：上枠取付用孔、１０：羽板、１０ａ、１０ｂ：コーナー部、１０ｃ、１０ｄ：係止溝、１１：上枠、１２：下枠、１３：固定具
【図１】
0003815639.tif 000002
【図２】
0003815639.tif 000003
【図３】
0003815639.tif 000004
【図４】
0003815639.tif 000005
【図５】
0003815639.tif 000006